(57)【要約】【課題】ビジネスフォームで広く利用される複写帳票を製造する技術をベースとして作製可能な固定機能付き緩衝材を提供するもので、二つに折り畳んでその間に挟むか、二枚重ね合わせてその間に挟むかして送付物を衝撃から護る固定機能付き緩衝材を提供する。【解決手段】平坦な台紙の片側に緩衝材を貼り付け、緩衝材を内側に二つに折り畳むか、二枚重ね合わせて送付物を挟み、送付物を衝撃から護る緩衝材であって、緩衝材は、緩衝材基材を折り曲げたことによる複数の凸部を有し、前記凸部は、小さな凸部と、送付物を固定するための大きな凸部で構成された固定機能付き緩衝材を提供する。【選択図】  図１
2008114917.tif 000002
【特許請求の範囲】
【請求項１】
平坦な台紙の片側に緩衝材を貼り付け、緩衝材を台紙と一緒に内側に二つに折り畳むか、二枚重ね合わせて送付物を挟み、送付物を衝撃から護る緩衝材であって、
緩衝材は、緩衝材基材を折り曲げたことによる複数の凸部を有し、
前記凸部は、小さな凸部と、送付物を固定するための大きな凸部で構成されたことを特徴とする固定機能付き緩衝材。
【請求項２】
請求項１に記載の固定機能付き緩衝材において、
台紙または緩衝材、または台紙，緩衝材の両方の表出面には印刷が施されたことを特徴とする固定機能付き緩衝材。
【請求項３】
請求項１，２何れかに記載の固定機能付き緩衝材において、
台紙及び緩衝材の基材には、パルプを主原料とする材料、または、自然環境内で分解性を有する合成樹脂フィルムの何れかが使用されたことを特徴とする固定機能付き緩衝材。
【発明の詳細な説明】
【技術分野】
【０００１】
本発明は、送付物を衝撃から護るための固定機能付き緩衝材に関する。
【背景技術】
【０００２】
通販会社等では、商品の配達のために宅配便を利用することが多い。
その際、商品のほかに、段ボールや封筒などの収納具、納品明細書，配送伝票といったものが準備される。商品が化粧品や食べ物、文房具といった小物類の場合の収納具には、ほぼ例外なく段ボールか封筒が使用される。
通販会社等では、納品明細書を見ながら、顧客からリクエストのあった商品を所定の収納具（例えば、段ボール）に入れ、箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。
この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
したがって、正確には、前述の「代表的な配送までの流れ」に、「商品を箱に入れた後で緩衝材を入れる」という工程が加わる。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。
その結果、緩衝材は不可欠な資材となる。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述の詰め物として、新聞紙を丸めて入れたり、シュレッダーの塵を箱の中に入れる方法は、環境面ではともかく、商品を受け取る顧客からは、その体裁から、必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明では、ビジネスフォームで広く利用される複写帳票を製造する技術をベースとして作製可能な固定機能付き緩衝材を提供するもので、二つに折り畳んでその間に挟むか、二枚重ね合わせてその間に挟むかして送付物を衝撃から護る固定機能付き緩衝材を提供することを目的とするものである。
【課題を解決するための手段】
【０００６】
前記課題の目的を達成するために、本発明の固定機能付き緩衝材の第一の態様は、平坦な台紙の片側に緩衝材を貼り付け、緩衝材を内側に二つに折り畳むか、二枚重ね合わせて送付物を挟み、送付物を衝撃から護る緩衝材であって、緩衝材は、緩衝材基材を折り曲げたことによる複数の凸部を有し、前記凸部は、小さな凸部と、送付物を固定するための大きな凸部で構成されたことを特徴とするものである。
【０００７】
また、第二の態様は、第一の態様において、台紙または緩衝材、または台紙，緩衝材の両方の表出面には印刷が施されたことを特徴とするものである。
【０００８】
また、第三の態様は、第一，第二何れかの態様において、台紙及び緩衝材の基材には、パルプを主原料とする材料、または、自然環境内で分解性を有する合成樹脂フィルムの何れかが使用されたことを特徴とするものである。
【発明の効果】
【０００９】
１）本発明の固定機能付き緩衝材の第一の態様のように、平坦な台紙の片側に緩衝材を貼り付け、緩衝材を内側に二つに折り畳むか、二枚重ね合わせて送付物を挟み、送付物を衝撃から護る緩衝材であって、緩衝材は、緩衝材基材を折り曲げたことによる複数の凸部を有し、前記凸部は、小さな凸部と、送付物を固定するための大きな凸部で構成されたことによって、固定機能付き緩衝材を製造の際、ビジネスフォームで利用される製造設備，技術が利用可能となり、緩衝材基材で形成された、例えば、二つの大きな凸部の間に送付物を固定して緩衝材で挟んで封筒などに入れて送付できるために、簡便で、安価な緩衝材として供給することができる。
２）また、第二の態様のように、第一の態様において、台紙または緩衝材、または台紙，緩衝材の両方の表出面には印刷が施されたことによって、広告や注意書きを印刷することができ、固定機能付き緩衝材の表出するスペースを有効に利用することができる。
３）また、第三の態様のように、第一，第二何れかの態様において、台紙及び緩衝材の基材には、パルプを主原料とする材料、または、自然環境内で分解性を有する合成樹脂フィルムの何れかが使用されたことによって、環境にやさしい固定機能付き緩衝材とすることができる。
【発明を実施するための最良の形態】
【００１０】
以下、図面を参照して本発明の固定機能付き緩衝材について詳細に説明する。
図１は、本発明の固定機能付き緩衝材の一例について説明するための図，図２は、本発明の固定機能付き緩衝材の、他の一例について説明するための図，図３は、本発明の固定機能付き緩衝材の使用方法一例について説明するための図，図４は、図２で説明した固定機能付き緩衝材の使用方法の一例について説明するための図，図５は、図４で説明した固定機能付き緩衝材の送付方法の一例について説明するための図，である。
以下の説明では、緩衝材基材を折り曲げたことによる複数の凸部が、波板状の凹凸による凸部で構成された固定機能付き緩衝材の例で説明する。
【００１１】
図１で判るように、本発明の固定機能付き緩衝材１は、平坦な台紙１２の片側に緩衝材１１を貼り付け、緩衝材１１を内側に二つに折り畳むか、二枚重ね合わせて送付物（図示せず）を挟み、送付物を衝撃から護る固定機能付き緩衝材である。
緩衝材１１は、緩衝材基材を折り曲げたことによる複数の凸部を有し、前記凸部は、小さな凸部１１１と、送付物を固定するための大きな凸部１１２で構成されている。
図に示す二つの大きな凸部の間隔は、送付される複数の送付物の大きさによって、決定され、必ずしも送付物に一対一で対応しているわけではない。送付物が細長い形状をしている場合は、送付物を縦，横置き換えて、限られた前記大きな凸部の間隔を有効に使い分けることができるようになっている。
【００１２】
大きな凸部１１２は、図に示すように、小さな凸部の中に形成され、多くは二つ以上形成される。送付物は、前述の二つの大きな凸部１１２の間に収められ、別な緩衝材を重ねて封筒に入れられ送付される。
送付物が小さい場合は、前述の大きな凸部１１２が、例えば三つ設けられ、それぞれのの大きな凸部１１２間に送付物が置かれ、別な緩衝材を重ね合わせて封筒に入れられ送付される。
したがって、本発明の固定機能付き緩衝材１は、小さな凸部の数と大きな凸部の数を限定するものではない。
【００１３】
図示しないが、台紙１２または緩衝材１１、または台紙１２，緩衝材１１の両方の表出面には、送付側の広告や送付物の取り扱い等に関する文言を印刷することができる。
【００１４】
また、台紙及び緩衝材の基材には、パルプを主原料とする材料、または、自然環境内で分解性を有する合成樹脂フィルムを使用することができる。
【００１５】
図２を参照して、本発明の固定機能付き緩衝材の、他の一例について説明する。
図２に示す固定機能付き緩衝材２は、送付物を大きな凸部１１２の間に収めて、固定機能付き緩衝材２を中央付近で二つに折り畳み、送付物を固定するタイプの固定機能付き緩衝材の例である。
緩衝材２１は、台紙２２の短辺側両端で、接着剤等で固定されて使用される。
また、図示しないが、台紙を折り畳み易いように、台紙の折り畳み予定部に筋押しやミシン目などを施してもよい。
【００１６】
図３を参照して、本発明の固定機能付き緩衝材の使用方法一例について説明する。
図３に示す固定機能付き緩衝材の使用方法一例は、図１で説明した固定機能付き緩衝材１の二つの大きな凸部１１２の間に送付物３を収め、小さな凸部だけの台紙付き緩衝材１０を重ね合わせて、送付物を固定する例である。
送付物３は、左右方向は固定機能付き緩衝材の凹凸の、二つの大きな凸部１１２の間に挟まれて、更に上下方向を固定機能付き緩衝材１と台紙付き緩衝材１０の小さな凸部の間に挟まれて固定される。
【００１７】
図４を参照して、図２で説明した固定機能付き緩衝材の使用方法の一例について説明する。
送付物３は、固定機能付き緩衝材２の凹凸の、二つの大きな凸部の間に収められる。
次に、固定機能付き緩衝材２の小さな凹凸の部分で緩衝材を内側にして折り畳まれ、送付物は、左右方向は二つの大きな凸部に挟まれて動きを止められ、更に上下方向は固定機能付き緩衝材２の延長部で挟まれて固定される。
【００１８】
図５を参照して、図４で説明した固定機能付き緩衝材の送付方法の一例について説明する。
図５は、送付物３を包み込んだ固定機能付き緩衝材２が封筒４に封入されて、封緘された状態の断面を表した図である。
図４で説明した送付物３を包み込んだ固定機能付き緩衝材２は、封筒４に封入され、封緘されて送付される。
固定機能付き緩衝材２を封筒４に入れる方向は、図に示す方向に拘るものではない。
【００１９】
（材料）
本発明の固定機能付き緩衝材に使用される材料の一例について説明する。
先ず、固定機能付き緩衝材の台紙、および、緩衝材の基材には、パルプを主原料とする材料（以下、紙の例で説明する）が使用される。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用される。
これらパルプを主原料とした塗工紙として、通常市販されている、例えば、アート紙，コート紙，軽量コート紙等があり、非塗工紙として、例えば、上質紙，中質紙，下級紙や未晒クラフト紙，晒クラ フト紙等がある。
本発明の固定機能付き緩衝材の台紙、および、緩衝材用の紙として、これらの紙の中から適宜選択して使用する。
本発明の固定機能付き緩衝材の台紙に使用される紙は、比較的厚い紙を使用することが好ましい。
例えば、台紙に使用する紙として、フォーム印刷機で使用できる１０５ｇ／ｍ2程度の紙を使用する。
その結果、送付物の重さに対して固定機能付き緩衝材が折れ曲がることなく楽に封筒に差し込むことができ好適に使用できる。
【００２０】
また、自然環境内で分解性を有する合成樹脂とは、加水分解、光分解、微生物分解等により、自然環境下で分解する樹脂のことである。
このような樹脂の例を挙げると、脂肪族二塩基酸と二価アルコールの縮合重合により合成される各種の脂肪族ポリエステルなどがある。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステルなどである。また、３官能又は４官能の多価アルコール、オキシカルボン酸及び多価カルボン酸、若しくはその無水物から合成した脂肪族ポリエステルなども使用することができる。さらに、ポリ乳酸、ポリグリコール酸等の脂肪族ポリエステルなどを使用することもできる。
【００２１】
緩衝材を台紙に貼り付けるために使用される接着剤としては、澱粉系，天然ゴム系，酢酸ビニル系，ＥＶＡ系，ポリウレタン系，ポリビニルアルコール系，アクリル系その他から選択され、製造装置に合せて使用される。
【００２２】
台紙や緩衝材に印刷が施される場合は、印刷のためのインキとして、市販のインキを使用することができる。
オフセット印刷方式で印刷される場合、通常使用される紫外線硬化型インキや、一般タイプと呼ばれる酸化重合型インキを好適に使用することができる。
フレキソ方式で印刷される場合、水系インキや有機溶剤系インキなどに加え、紫外線硬化タイプのインキなども市販されているため、用途等に応じて選択することが可能である。
また、一度使用した用紙が古紙として再利用される場合は、大豆油インキと呼ばれる脱墨性に優れるインキが好適である。大豆油インキは、酸化重合型のインキで、従来から使用されてきた亜麻仁油インキに代わって使用され始めたもので、両者とも環境対応度に大差はないが、脱墨性の点では大豆油インキが優れている。
いずれの印刷方式においても、目的や用途、使用する設備に合致した上で、できる限り環境に配慮したインキを使用することが望ましい。
紫外線硬化型は、原則として溶剤分を含まないのでＶＯＣの面では非常に優れているが、反面、ＵＶランプ（通常は、８，０００Ｗ程度のものが使用される）という非常に大きな電力でインキを硬化させるため、省エネルギーの面では酸化重合型には及ばない。また、有機溶剤型インキであっても、乾燥時に要するエネルギーが少なくて済む点では優れているため、乾燥時に蒸発する溶剤を完璧に回収できる製造装置であれば、環境に配慮しているということができる。
【００２３】
以上、本発明の固定機能付き緩衝材に使用される材料の一例について説明したが、前述の記載材料に拘るものではなく、適宜選択し、また、選択したものを組み合わせて使用することができる。
【産業上の利用可能性】
【００２４】
通信販売などの業種における送付物送付用緩衝材に利用できる。
【図面の簡単な説明】
【００２５】
【図１】本発明の固定機能付き緩衝材の一例について説明するための図である。
【図２】本発明の固定機能付き緩衝材の、他の一例について説明するための図である。
【図３】本発明の固定機能付き緩衝材の使用方法一例について説明するための図である。
【図４】図２で説明した固定機能付き緩衝材の使用方法の他の一例について説明するための図である。
【図５】図４で説明した固定機能付き緩衝材の送付方法の一例について説明するための図である。
【符号の説明】
【００２６】
１，２  固定機能付き緩衝材
３      送付物
４      封筒
１０    台紙付き緩衝材
１１，２１  緩衝材
１２，２２  台紙
１１１，２１１  小さな凸部
１１２，２１２  大きな凸部
【図１】
2008114917.tif 000003
【図２】
2008114917.tif 000004
【図３】
2008114917.tif 000005
【図４】
2008114917.tif 000006
【図５】
2008114917.tif 000007